(57)【要約】      （修正有）【課題】取り扱い時に手や指が切断端部に沿って滑っても摩擦で皮膚が切れにくい手切れ防止段ボール箱を提供する。【解決手段】蓋６の糊代７の切断端部に複数のアーチ７ａが連続する凹凸を設け、その各アーチ７ａの手や指が触れやすい左右端部に毛羽立ち７ｂを設ける。段ボールの切断機の刃先には、毛羽立ち７ｂを生じさせる部分に溝を形成する。この切断機によって、刃先の無い部分は切り残されるが、プレスや振動によって切り離される際に破断する。この破断で生じた毛羽立ち７ｂによって、持ち運び時や開封時に手や指が糊代７の切断端部に沿って滑っても、摩擦が緩和されて皮膚を傷めにくくなり、怪我を軽減できるようになる。【選択図】図３
0003180616.tif 000002
【実用新案登録請求の範囲】
【請求項１】
１枚の段ボールを折り曲げて組み立てられる段ボール箱において、その外面に現れる段ボールの切断端部に切り残し部の破断による毛羽立ちを部分的に複数設けていることを特徴とする、手切れ防止段ボール箱。
【請求項２】
切断端部の形状が、複数のアーチ又はＵ字部が連続する凹凸状であって、その各凹凸の手や指が触れやすい左右端部それぞれに毛羽立ちを設けている、請求項１記載の手切れ防止段ボール箱。
【請求項３】
切断端部の形状が、間欠的に切断された直線状であって、その非切断端部それぞれに毛羽立ちを設けている、請求項１記載の手切れ防止段ボール箱。
【請求項４】
１枚の段ボールを折り曲げて組み立てられる段ボール箱において、その外面に現れる段ボールの切断端部に切り残し部の破断による毛羽立ちを部分的に複数設け、しかもその毛羽立ち以外の切断端部が微細な波状に形成されていることを特徴とする、手切れ防止段ボール箱。
【請求項５】
１枚の段ボールを折り曲げて組み立てられる段ボール箱において、その外面に現れる段ボールの切断端部に複数のアーチ又はＵ字部が連続する凹凸を形成し、その各凹凸の手や指が触れやすい左右端部それぞれに切り残し部の破断による毛羽立ちを設け、しかもその毛羽立ち以外の切断端部が微細な波状に形成されていることを特徴とする、手切れ防止段ボール箱。
【請求項６】
１枚の段ボールを折り曲げて組み立てられる段ボール箱において、その外面に現れる段ボールの切断端部を間欠的に切断された直線状に形成し、その非切断端部それぞれに毛羽立ちを設け、しかもその毛羽立ち以外の切断端部が微細な波状に形成されていることを特徴とする、手切れ防止段ボール箱。
【請求項７】
毛羽立ちを設けた切断端部が、折り曲げて箱の側面に糊付けして封止するための蓋の糊代の切断端部である、請求項１〜６いずれか記載の手切れ防止段ボール箱。
【考案の詳細な説明】
【技術分野】
【０００１】
本考案は、段ボールの切断端部との摩擦による手や指の怪我を防止する技術に関する。
【背景技術】
【０００２】
機械で切断された段ボールは、その切断端部のライナーが鋭利な形状となっている。例えば、糊代を備えた蓋で封止される段ボール箱では、持ち運び時や開封時に手や指が糊代の切断端部に沿って滑ると、摩擦で皮膚が切れて怪我をすることがあった。
【０００３】
この問題に対し、蓋の糊代の切断端部に複数のアーチが連続する凹凸を設け、その凹凸に指が掛かりやすくして滑りにくいようにした技術が特許文献１に開示されている。しかし、切断端部のライナーは鋭利な形状のままであるから、不注意で指が滑ってしまった場合は、やはり摩擦で皮膚が切れたり痛みを感じたりすることがあった。
【先行技術文献】
【特許文献】
【０００４】
【特許文献１】特開２０１２−１１６５３１号公報
【考案の概要】
【考案が解決しようとする課題】
【０００５】
本考案が解決しようとする課題は、従来のこれらの問題点を解消し、取り扱い時に手や指が段ボールの切断端部に沿って滑っても、摩擦で皮膚が切れにくいようにすることにある。
【課題を解決するための手段】
【０００６】
かかる課題を解決した本考案の構成は、
１）  １枚の段ボールを折り曲げて組み立てられる段ボール箱において、その外面に現れる段ボールの切断端部に切り残し部の破断による毛羽立ちを部分的に複数設けていることを特徴とする、手切れ防止段ボール箱
２）  切断端部の形状が、複数のアーチ又はＵ字部が連続する凹凸状であって、その各凹凸の手や指が触れやすい左右端部それぞれに毛羽立ちを設けている、前記１）記載の手切れ防止段ボール箱
３）  切断端部の形状が、間欠的に切断された直線状であって、その非切断端部それぞれに毛羽立ちを設けている、前記１）記載の手切れ防止段ボール箱
４）  １枚の段ボールを折り曲げて組み立てられる段ボール箱において、その外面に現れる段ボールの切断端部に切り残し部の破断による毛羽立ちを部分的に複数設け、しかもその毛羽立ち以外の切断端部が微細な波状に形成されていることを特徴とする、手切れ防止段ボール箱
５）  １枚の段ボールを折り曲げて組み立てられる段ボール箱において、その外面に現れる段ボールの切断端部に複数のアーチ又はＵ字部が連続する凹凸を形成し、その各凹凸の手や指が触れやすい左右端部それぞれに切り残し部の破断による毛羽立ちを設け、しかもその毛羽立ち以外の切断端部が微細な波状に形成されていることを特徴とする、手切れ防止段ボール箱
６）  １枚の段ボールを折り曲げて組み立てられる段ボール箱において、その外面に現れる段ボールの切断端部を間欠的に切断された直線状に形成し、その非切断端部それぞれに毛羽立ちを設け、しかもその毛羽立ち以外の切断端部が微細な波状に形成されていることを特徴とする、手切れ防止段ボール箱
７）  毛羽立ちを設けた切断端部が、折り曲げて箱の側面に糊付けして封止するための蓋の糊代の切断端部である、前記１）〜６）いずれか記載の手切れ防止段ボール箱
にある。
【考案の効果】
【０００７】
本考案によれば、持ち運び時や開封時に手や指が段ボールの切断端部に沿って滑っても、毛羽立ちによって摩擦が緩和されて皮膚を傷めにくくなり、怪我を軽減できるようになる。
【図面の簡単な説明】
【０００８】
【図１】実施例１の段ボール箱の展開図である。
【図２】実施例１の段ボール箱の斜視図である。
【図３】実施例１の糊代の切断端部の説明図である。
【図４】実施例２の糊代の切断端部の説明図である。
【図５】実施例３の糊代の切断端部の説明図である。
【図６】実施例の他の例の糊代の切断端部の説明図である。
【考案を実施するための形態】
【０００９】
本考案の毛羽立ちを設ける箇所としては、段ボール箱の外面に現れている蓋の糊代の切断端部の他、粘着テープで封止される段ボール箱のフラップの切断端部がある。また、毛羽立ちの箇所以外の全切断端部を微細な波状に形成し、持ち運びや開封以外の取り扱い時（例えば組み立てや折り畳みの作業など）の怪我も軽減できるようにしても良い。以下、本考案の各実施例を図面に基づいて具体的に説明する。
【実施例】
【００１０】
（実施例１）
図１〜３に示す実施例１は、１枚の段ボール１を折り曲げて組み立てられる段ボール箱Ａにおいて、その蓋６の糊代７に複数のアーチ７ａが連続する凹凸を設けた例である。段ボール１の全切断端部は、１．５ｍｍピッチの微細な波状に形成し、糊代７のアーチ７ａの手や指が触れやすい左右端部それぞれに幅０．５ｍｍ程の毛羽立ち７ｂを設けている。図中、２は側板、３は底板、４は外フラップ、５は内フラップである。
【００１１】
段ボール１の切断機の刃先は、断面形状が微細な波状に且つ複数のアーチが連続する凹凸状に形成されているが、毛羽立ち７ｂを生じさせる部分は幅０．５ｍｍの溝が形成されて刃先が無い。この切断機によって、刃先の無い部分は切り残されるが、プレスや振動によって切り離される際に破断する。
【００１２】
段ボール１の切断端部は、微細な波状によって手や指が触れる部分が減少し、組み立て時や折り畳み時の摩擦による怪我を軽減できるようになっている。しかも、持ち運び時や開封時に手や指が触れやすい糊代７のアーチ７ａの左右箇所が毛羽立ち７ｂで柔らかく感じるものとなっており、不注意で手や指を滑らせてしまっても、摩擦が緩和されて皮膚を傷めにくくなり、怪我をさらに軽減できるようになっている。
【００１３】
（実施例２）
図４に示す実施例２は、１枚の段ボール１を折り曲げて組み立てられる段ボール箱Ａにおいて、その蓋６の糊代７に複数のＵ字部７ｃが連続する凹凸を設けた例である。段ボール１の全切断端部は、１．５ｍｍピッチの微細な波状に形成し、糊代７のＵ字部７ｃの手や指が触れやすい左右端部それぞれに幅０．５ｍｍ程の毛羽立ち７ｂを設けている。
【００１４】
よって、実施例１と同様に、手や指を糊代７に掛けて持ち運んだり開封したりする際、不注意で手や指を滑らせてしまっても、摩擦が緩和されて皮膚を傷めにくくなり、怪我を軽減できるようになっている。その他、符号、構成は実施例１と同様である。
【００１５】
（実施例３）
図５に示す実施例３は、１枚の段ボール１を折り曲げて組み立てられる段ボール箱Ａにおいて、その蓋６の糊代７を直線状に形成した例である。段ボール１の全切断端部は、１．５ｍｍピッチの微細な波状に形成し、糊代７の切断端部は間欠的に切断し、切り離し後の幅０．５ｍｍ程の非切断端部それぞれに毛羽立ち７ｂを設けている。
【００１６】
よって、実施例１，２と同様に、手や指を糊代７に掛けて持ち運んだり開封したりする際、不注意で手や指を滑らせてしまっても、摩擦が緩和されて皮膚を傷めにくくなり、怪我を軽減できるようになっている。その他、符号、構成は実施例１，２と同様である。
【００１７】
図６に示すのは、実施例の糊代７の切断端部の他の例である。図６（ａ）に示すのは、台形７ｄが連続する凹凸を設け、その台形７ｄの左右辺部それぞれに毛羽立ち７ｂを設けた例である。図６（ｂ）に示すのは、図６（ａ）の例において凹凸を緩やかなアーチ状に形成した例である。図６（ｃ）に示すのは、実施例３において緩やかなアーチ状に形成した例である。
【００１８】
図６（ｄ）に示すのは、図６（ａ）の例において微細な波状を省略した例である。図６（ｅ）に示すのは、実施例３において微細な波状を省略した例である。図６（ｆ）に示すのは、図６（ｃ）の例において微細な波状を省略した例である。その他、符号、構成、作用効果は実施例１〜３と同様である。
【産業上の利用可能性】
【００１９】
本考案の技術は、段ボール製品全般に応用できる。
【符号の説明】
【００２０】
１    段ボール
２    側板
３    底板
４    外フラップ
５    内フラップ
６    蓋
７    糊代
７ａ  アーチ
７ｂ  毛羽立ち
７ｃ  Ｕ字部
７ｄ  台形
Ａ    段ボール箱
【図１】
0003180616.tif 000003
【図２】
0003180616.tif 000004
【図３】
0003180616.tif 000005
【図４】
0003180616.tif 000006
【図５】
0003180616.tif 000007
【図６】
0003180616.tif 000008